(57)【特許請求の範囲】
【請求項１】
第１表示手段と、
第２表示手段と、
前記第１表示手段と前記第２表示手段の表示領域を管理するモニタ表示領域管理手段と、
１つ以上のアイテムの集合体であるタスクバーを表示するタスクバー表示手段と、
前記タスクバーに表示するアイテムを管理する表示アイテム管理手段と、
前記タスクバーを配置するための領域を持つウィンドウを移動するウィンドウ移動手段とを有し、
前記ウィンドウが移動した場合に、前記タスクバー表示手段は当該ウィンドウが含まれるモニタの表示領域に対応した機能を有するアイテムだけを表示し、使用不可能なアイテムを非表示にすることを特徴とするマルチディスプレイシステム。
【請求項２】
前記タスクバーに表示するアイテムは、アイコンまたはボタン機能を有することを特徴とする請求項１記載のマルチディスプレイシステム。
【請求項３】
前記アイコンには、当該タスクバーを表示しているモニタの表示領域に隣接するモニタの表示領域の方向を明示する文字または絵文字が含まれていることを特徴とする請求項２記載のマルチディスプレイシステム。
【請求項４】
前記アイコンには、当該タスクバーを表示しているウィンドウが含まれるモニタおよび移動可能なモニタを明示する文字または絵文字が含まれていることを特徴とする請求項２記載のマルチディスプレイシステム。
【請求項５】
前記タスクバーに表示するアイテムは、ウィンドウのモニタ間の移動機能を有することを特徴とする請求項１記載のマルチディスプレイシステム。
【請求項６】
前記タスクバー表示手段は排他関係にある機能を有するアイテムを前記タスクバーの同一位置に表示することを特徴とする請求項１記載のマルチディスプレイシステム。
【請求項７】
第１表示手段と、第２表示手段とを備えたマルチディスプレイシステムのタスクバー表示方法であって、
前記第１表示手段と前記第２表示手段の表示領域を管理するモニタ表示領域管理手順と、
１つ以上のアイテムの集合体であるタスクバーを表示するタスクバー表示手順と、
前記タスクバーに表示するアイテムを管理する表示アイテム管理手順と、
前記タスクバーを配置するための領域を持つウィンドウを移動するウィンドウ移動手順とを有し、
前記ウィンドウが移動した場合に、前記タスクバー表示手順は当該ウィンドウが含まれるモニタの表示領域に対応したアイテムだけを表示し、使用不可能なアイテムを非表示にすることを特徴とするマルチディスプレイシステムのタスクバー表示方法。
【請求項８】
前記タスクバー表示手順は排他関係にある機能を有するアイテムを前記タスクバーの同一位置に表示することを特徴とする請求項７記載のマルチディスプレイシステムのタスクバー表示方法。
【発明の詳細な説明】
【技術分野】
【０００１】
本発明は、タスクバーおよびタスクバーを配置したウィンドウの位置を監視して、タスクバーおよびタスクバーを配置したウィンドウがモニタ間を移動した場合に、タスクバーが含まれるモニタの表示領域に対応した機能を有するアイテムだけを表示することで、タスクバーの省スペース化およびタスクバーの操作性を向上することができるマルチディスプレイシステムに関するものである。
【背景技術】
【０００２】
従来から文書作成や画像編集などを行うときにマルチディスプレイシステムを利用すると、その作業効率が向上することは広く知られている。
【０００３】
タスクバーは有用な機能を一覧表示して、その項目を選択することで対応づけられた機能を実行するのが一般的であるが、マルチディスプレイシステムを使用する際にタスクバーを利用すると、さらに操作性が向上することも公知となっている。
【０００４】
また、マルチディスプレイシステムにおけるタスクバーの表示方法として、指示カーソルの存在するモニタ上の位置に従ってタスクバーの表示位置を変更し、より作業効率を高める機能（特許文献１参照）なども公知となっている。
【特許文献１】特開２００２−２８７８６６号公報
【発明の開示】
【発明が解決しようとする課題】
【０００５】
特許文献１の技術はタスクバーの表示位置および表示態様の変更に関するものであって、タスクバーに表示する機能はすべて使用可能であることが前提であり、任意のモニタで使用不可能な機能が存在した場合に発生する問題などは未解決である。
【０００６】
図２は従来のマルチディスプレイシステムのタスクバーを示す説明図である。例えば、図２の（２Ａ）に示すような表示手段Ａ１と表示手段Ｂ２から構成されるマルチディスプレイシステムでは、モニタ間でのウィンドウ移動処理を行う場合に、図２の（２Ｂ）のようなウィンドウ移動機能を集約させたタスクバーがあると、ウィンドウ移動の操作性は向上する。
【０００７】
ここでアイコン２０４はフォーカスのあるウィンドウを表示手段Ａに移動する機能、アイコン２０５はフォーカスのあるウィンドウを表示手段Ｂに移動する機能、アイコン２０６はすべてのウィンドウを表示手段Ａに移動する機能、アイコン２０７はすべてのウィンドウを表示手段Ｂに移動する機能、アイコン２０８は表示手段Ａと表示手段Ｂに存在するウィンドウの表示位置を入れ替える機能、アイコン２０９は表示手段Ａと表示手段Ｂに表示するウィンドウの差が１以下になるように振り分ける機能、アイコン２１０は表示手段Ａに存在するウィンドウを縦配列しなおす機能、アイコン２１１は表示手段Ｂに存在するウィンドウを縦配列しなおす機能、アイコン２１２は表示手段Ａに存在するウィンドウを横配列しなおす機能、アイコン２１３は表示手段Ｂに存在するウィンドウを横配列しなおす機能を実行するためのアイコンであり、このアイコンを選択することによって各処理が実行される。
【０００８】
しかしながら、図２の（２Ｂ）に示すタスクバーに実装された機能のうち、タスクバーやウィンドウが表示されるモニタによって実行不可能な機能が存在した場合、例えば一時的に表示手段Ｂが使用不可能な状態となった場合や、フォーカスのあるウィンドウが表示手段Ａにあった場合などは図２の（２Ｃ）に示すアイコン２１４、また一時的に表示手段Ａが使用不可能な状態となった場合や、フォーカスのあるウィンドウが表示手段Ｂにあった場合などは図２の（２Ｄ）に示すアイコン２１５のように、タスクバーを表示状態にしたときの環境条件によって、選択不可能な機能であるにも関わらずアイコンの占有スペースは確保されていると、タスクバーの操作性が低下する要因となっていた。
【０００９】
本発明は、タスクバーおよびタスクバーを配置したウィンドウの位置を監視して、タスクバーおよびタスクバーを配置したウィンドウがモニタ間を移動した場合に、タスクバーが含まれるモニタの表示領域に対応した機能を有するアイテムだけを表示することで、タスクバーの省スペース化およびタスクバーの操作性を向上することができるマルチディスプレイシステムを提供することを目的とする。
【課題を解決するための手段】
【００１０】
上記課題を解決するために本発明のマルチディスプレイシステムでは、
第１表示手段と、第２表示手段と、第１表示手段と第２表示手段の表示領域を管理するモニタ表示領域管理手段と、１つ以上のアイテムの集合体であるタスクバーを表示するタスクバー表示手段と、タスクバーに表示するアイテムを管理する表示アイテム管理手段と、タスクバーを配置するための領域を持つウィンドウを移動するウィンドウ移動手段とを有し、ウィンドウが移動した場合に、タスクバー表示手段は当該ウィンドウが含まれるモニタの表示領域に対応した機能を有するアイテムだけを表示することで、使用不可能なアイテムを非表示にしただけ、タスクバーの表示スペースの効率化が図れる。
【００１１】
なお、ここでいう「第２表示手段」とは第１表示手段以外の表示手段の総称であり、具体的な個数でないことは言うまでもない。
【００１４】
さらに、タスクバーに表示するアイテムは、アイコンまたはボタン機能を有し、そのアイコンまたはボタンが当該タスクバーを表示しているモニタの表示領域と、隣接するモニタの表示領域の方向を明示する文字または絵文字が含むことで、マルチディスプレイシステムの表示領域の配置が明示でき、モニタ間のウィンドウ移動処理を行うときなどの操作性が向上する。
【００１５】
さらに、タスクバーに表示するアイテムは、アイコンまたはボタン機能を有し、そのアイコンまたはボタンが当該タスクバーを表示しているウィンドウが含まれるモニタおよび移動可能なモニタを明示する文字または絵文字が含むことで、マルチディスプレイシステムのモニタ構成を明示でき、移動先モニタを直接指定してウィンドウ移動処理を行うときなどの操作性が向上する。
【００１６】
さらに、タスクバー表示手段は排他関係にある機能を有するアイテムをタスクバーの同一位置に表示することで、タスクバーを表示するモニタによって、表示するアイテムの位置が異なるといった問題を回避することができ、アイテム選択時の操作性が向上する。
【発明の効果】
【００１７】
本発明のマルチディスプレイシステムによれば、タスクバーおよびタスクバーを配置したウィンドウの位置を監視して、タスクバーおよびタスクバーを配置したウィンドウがモニタ間を移動した場合に、タスクバーが含まれるモニタの表示領域に対応した機能を有するアイテムだけを表示することで、タスクバーの省スペース化およびタスクバーの操作性を向上することができる。
【発明を実施するための最良の形態】
【００１８】
以下、本発明の実施の形態を、図面を参照しながら説明する。
【００１９】
（実施の形態１）
図１は本発明の第１の実施の形態に係るマルチディスプレイシステムの概念的な構成図である。
【００２０】
図１において、１は第１表示手段、２は第２表示手段、３は第１表示手段と第２表示手段の表示領域を管理するモニタ表示領域管理手段、４は入力座標と入力動作を入力情報として出力する座標入力手段、５は１つ以上のアイテムの集合体であるタスクバーを表示するタスクバー表示手段、６はタスクバーに表示するアイテムを管理する表示アイテム管理手段、７はタスクバーを配置するための領域を持つウィンドウを移動するウィンドウ移動手段である。
【００２１】
図４は本発明の第１の実施の形態に係る入力座標が含まれるモニタの表示領域に対応したアイテムだけを表示するタスクバーを有するマルチディスプレイシステムを示す説明図である。
【００２２】
本実施の形態におけるマルチディスプレイシステムは、表示手段として図４の（４Ａ）に示すように表示手段Ａ１と表示手段Ｂ２で構成されており、表示手段Ａ１の表示領域は（０，０）−（１９９，９９）であり、表示手段Ｂ２の表示領域は（２００，０）−（３９９，９９）である。
【００２３】
図４の（４Ｂ）は、特定の座標入力動作で表示されるタスクバーの位置を示しており、表示手段Ａ１の座標４００で右ボタンクリック動作を行うと、タスクバー４０２が表示手段Ａ１に表示される。また表示手段Ｂ１の座標４０１で右ボタンクリック動作を行うと、タスクバー４０３が表示手段Ａ２に表示される。
【００２４】
これらの情報はモニタ表示領域管理手段３で管理されている。システム構成情報４０４として少なくともモニタ数４０５が管理されていて、このマルチディスプレイシステムを構成するモニタ数の「２」が格納されている。また表示領域管理情報４０６では、モニタ４０７ごとに左上座標４０８とサイズ４０９が管理されていて、表示手段Ａ１の表示領域は（０，０）−（１９９，９９）であり、表示手段Ｂ２の表示領域は（２００，０）−（３９９，９９）となる。
【００２５】
ここで、座標入力手段４で表示手段Ａ１の座標（１００，５０）で右ボタンクリックしたとする。すると座標入力手段４は動作４１１「右ボタンでクリック」、座標４１２（１００，５０）からなる入力情報４１０を出力する。
【００２６】
タスクバー表示手段５は、座標入力手段４から出力された入力情報４１０がタスクバーの表示条件と一致するか検査する。一致した場合は座標４１２をタスクバーの左上座標４２４として保持する。そして左上座標４２４がどのモニタの表示領域に包含されるのか、モニタ表示領域管理手段３の表示領域管理情報４０６から検査する。検査した結果はモニタＩＤ４１３として保持する。そしてタスクバー表示手段５は表示アイテム管理手段６から表示すべきアイテムを決定する。
【００２７】
表示アイテム管理手段６には、アイテムの文字列４３０と、アイテムの機能を示す機能ＩＤ４２６と、アイテムのアイコンを示すアイコンＩＤ４２７と、アイテムを表示するモニタを示すモニタＩＤ４２８から構成される表示アイテム管理テーブル４２９がある。
【００２８】
ここでモニタＩＤ４２８の「１」はタスクバーが表示手段Ａ１で表示するときに表示することを示しており、またモニタＩＤ４２８の「２」はタスクバーが表示手段Ｂ２で表示するときに表示することを示している。さらにモニタＩＤ４２８の「０」はタスクバーを表示するモニタとは無関係に表示することを示している。よってタスクバーを表示手段Ａ１で表示するときはアイテム４３２とアイテム４３４、アイテム４３５が有効となり、またタスクバーを表示手段Ｂ２で表示するときはアイテム４３１とアイテム４３３、アイテム４３５が有効となるように管理している。
【００２９】
ここで、タスクバー表示手段５のモニタＩＤ４１３が「２」だとすると、表示アイテム４１７として選択されたアイテムはアイテム４１９、アイテム４２０、アイテム４２１などの５つとなる。アイテムのアイコンサイズが（３２，３２）だったとすると、タスクバー表示情報４２３のサイズ４２５はアイコンを横に５個並べた場合（３２×５，３２）となる。
【００３０】
図３は本発明の第１の実施の形態に係る入力座標が含まれるモニタの表示領域に対応したアイテムだけを表示するタスクバーを示す説明図である。
【００３１】
図３の（３Ａ）に示すような表示手段Ａと表示手段Ｂから構成されるマルチディスプレイシステムにおいては、表示手段Ａ１で表示したタスクバー３２０と表示手段Ｂ２で表示したタスクバー３２１ではタスクバーに表示するアイテムが異なる。
【００３２】
図３の（３Ｂ）は（３Ａ）にあるタスクバー３２０のアイコン一覧を示したものである。アイテム３０１はフォーカスのあるウィンドウを表示手段Ｂに移動する機能、アイテム３０２はすべてのウィンドウを表示手段Ｂに移動する機能、アイテム３０３は表示手段Ａと表示手段Ｂに存在するウィンドウの表示位置を入れ替える機能、アイテム３０４は表示手段Ａと表示手段Ｂに表示するウィンドウの差が１以下になるように振り分ける機能、アイテム３０５は表示手段Ａに存在するウィンドウを縦配列しなおす機能、アイテム３０６は表示手段Ａに存在するウィンドウを横配列しなおす機能である。ここでタスクバー３２０は、マルチディスプレイシステムの左端の表示領域を表示するモニタ上で表示するため、アイテム３１１やアイテム３１２など画面左側のモニタの表示領域にウィンドウを移動するための機能およびアイコンはタスクバーには表示されないので、タスクバーの表示領域の省スペース化が図れる。
【００３３】
また図３の（３Ｃ）は図３の（３Ａ）にあるタスクバー３２１のアイコン一覧を示したものである。アイテム３１１はフォーカスのあるウィンドウを表示手段Ａに移動する機能、アイテム３１２はすべてのウィンドウを表示手段Ａに移動する機能、アイテム３１３は表示手段Ａと表示手段Ｂに存在するウィンドウの表示位置を入れ替える機能、アイテム３１４は表示手段Ａと表示手段Ｂに表示するウィンドウの差が１以下になるように振り分ける機能、アイテム３１５は表示手段Ｂに存在するウィンドウを縦配列しなおす機能、アイテム３１６は表示手段Ｂに存在するウィンドウを横配列しなおす機能である。ここでタスクバー３２１は、マルチディスプレイシステムの右端の表示領域を表示するモニタ上で表示するため、アイテム３０１やアイテム３０２など画面右側のモニタの表示領域にウィンドウを移動するための機能およびアイコンはタスクバーには表示されないので、タスクバーの表示領域の省スペース化が図れる。
【００３４】
図５は本発明の第１の実施の形態に係る入力座標が含まれるモニタの表示領域に対応したアイテムだけを表示するタスクバーの表示処理を示すフローチャートである。
【００３５】
図５において、起動時にＰ５０１でマルチディスプレイシステムを構成するモニター数と表示領域を取得する。次にＰ５０２でタスクバーを表示するための入力情報の動作（例えば「右ボタンクリック）など）を設定する。そしてＰ５０３で座標入力手段から入力情報を取得して、Ｐ５０４ではＰ５０３で取得した入力情報の動作がＰ５０２で設定した動作と同じか否かを検査する。動作が違う場合はＰ５０３に戻り、同じであればＰ５０５で入力情報である座標を包含する表示領域を有しているモニタを特定する。そしてＰ５０６で特定したモニタに対応したアイテムを抽出して、Ｐ５０７で抽出したアイテムをタスクバーに登録する。最後にＰ５０８でタスクバーを座標入力手段で入力した座標付近に表示する。
【００３６】
このように座標入力手段から所定の入力動作が実行された場合に、タスクバー表示手段が入力座標を包含する表示領域を有しているモニタに対応したアイテムだけを表示することで、使用不可能なアイテムを非表示にしただけタスクバーの表示スペースの効率化が図ることができ、表示解像度の低いモニタで構成されるマルチディスプレイシステムに有効である。
【００３７】
（実施の形態２）
図７は本発明の第２の実施の形態に係る当該ウィンドウが含まれるモニタの表示領域に対応したアイテムだけを表示するタスクバーを有するマルチディスプレイシステムを示す説明図である。
【００３８】
本実施の形態におけるマルチディスプレイシステムは、表示手段として図７の（７Ａ）に示すように表示手段Ａ１と表示手段Ｂ２で構成されており、表示手段Ａ１の表示領域は（０，０）−（１９９，９９）であり、表示手段Ｂ２の表示領域は（２００，０）−（３９９，９９）である。
【００３９】
図７の（７Ｂ）は、タスクバーを配置するための領域を持つウィンドウがモニタ間を移動したときの移動元と移動先を示しており、各ウィンドウは移動するウィンドウが有するタスクバーのアイテムを選択してモニタ間のウィンドウ移動を指定することができ、表示手段Ｂ２のウィンドウ７０３のタスクバーのアイテムで「左画面に移動」を選択すると、ウィンドウ７０１が表示手段Ａ１に表示される。また表示手段Ａ１のウィンドウ７０１のタスクバーのアイテムで「右画面に移動」を選択すると、ウィンドウ７０３が表示手段Ｂ２に表示される。
【００４０】
これらの情報はモニタ表示領域管理手段３で管理されている。システム構成情報７０４として少なくともモニタ数７０５が管理されていて、このマルチディスプレイシステムを構成するモニタ数の「２」が格納されている。また表示領域管理情報７０６では、モニタ７０７ごとに左上座標７０８とサイズ７０９が管理されていて、表示手段Ａ１の表示領域は（０，０）−（１９９，９９）であり、表示手段Ｂ２の表示領域は（２００，０）−（３９９，９９）となる。
【００４１】
ここで、ウィンドウ移動手段７で、表示手段Ｂ２の座標（３００，５０）に存在するウィンドウを表示手段Ａ１の座標（１００，５０）に移動したとする。ウィンドウ移動手段７で処理するウィンドウの移動量を「現在ウィンドウが表示されている表示手段の幅」とした場合、ウィンドウの移動先として座標７１１（１００，５０）を有する移動情報７１０が作成される。
【００４２】
タスクバー表示手段５は、ウィンドウ移動手段７で移動したウィンドウの左上座標７１１をタスクバーの表示アイテムを決定する座標７２４として保持する。そして左上座標７２４がどのモニタの表示領域に包含されるのか、モニタ表示領域管理手段３の表示領域管理情報７０６と比較して検査する。検査した結果はモニタＩＤ７１３として保持する。そしてタスクバー表示手段５は表示アイテム管理手段６から表示すべきアイテムを決定する。
【００４３】
表示アイテム管理手段６には、アイテムの文字列７３０と、アイテムの機能を示す機能ＩＤ７２６と、アイテムのアイコンを示すアイコンＩＤ７２７と、アイテムを表示するモニタを示すモニタＩＤ７２８から構成される表示アイテム管理テーブル７２９がある。
ここでモニタＩＤ７２８の「１」はタスクバーが表示手段Ａ１で表示するときに表示することを示しており、またモニタＩＤ７２８の「２」はタスクバーが表示手段Ｂ２で表示するときに表示することを示している。さらにモニタＩＤ７２８の「０」はタスクバーを表示するモニタとは無関係に表示することを示している。よってタスクバーを表示手段Ａ１で表示するときはアイテム７３２とアイテム７３４、アイテム７３５が有効となり、またタスクバーを表示手段Ｂ２で表示するときはアイテム７３１とアイテム７３３、アイテム７３５が有効となるように管理している。
【００４４】
ここで、タスクバー表示手段５のモニタＩＤ７１３が「１」だとすると、表示アイテム７１７として選択されたアイテムはアイテム７１９、アイテム７２０、アイテム７２１などの５つとなる。アイテムのアイコンサイズが（１６，１６）だったとすると、タスクバー表示情報７２３のサイズ４２５はアイコンを横に５個並べた場合（１６×５，１６）となる。
【００４５】
図６は本発明の第２の実施の形態に係る当該ウィンドウが含まれるモニタの表示領域に対応したアイテムだけを表示するタスクバーを示す説明図である。
【００４６】
図６の（６Ａ）に示すような表示手段Ａと表示手段Ｂと表示手段Ｃから構成されるマルチディスプレイシステムにおいては、表示手段Ａ１に移動したウィンドウ６２０と表示手段Ｃ２−１に移動したウィンドウ６２２、および表示手段Ｂ２に表示されたウィンドウ６２１ではタスクバーに表示するアイテムが異なる。
【００４７】
図６の（６Ｂ）は（６Ａ）にあるウィンドウ６２１、およびウィンドウ６２１に表示されるタスクバー６００のアイコン一覧を示したものである。アイテム６０１はこのウィンドウを１つ左のモニタに移動する機能、６０２はこのウィンドウを１つ右のモニタに移動する機能、６０３はこのウィンドウを表示手段Ａ１に移動する機能、６０４はこのウィンドウを表示手段Ｂ２に移動する機能、６０５はこのウィンドウを表示手段Ｃ２−１に移動する機能である。
【００４８】
表示手段Ｂ２は左右にそれぞれ表示手段Ａ１、表示手段Ｃ２−１が隣接しているためアイテム６０１およびアイテム６０２が表示される。またアイテム６０１の絵文字または文字である「←」は、表示手段Ｂ２の左に隣接するモニタが存在すること明示している。同様にアイテム６０２の絵文字または文字である「→」は、表示手段Ｃ２−１の右に隣接するモニタが存在すること明示している。またこのウィンドウが表示されている表示手段Ｂ２に対応するアイテム６０４のアイコンは、その他の表示手段に対応しているアイテム６０３およびアイテム６０５とは異なる背景色など効果を加えると、このウィンドウが存在するモニタ、およびこのウィンドウを移動可能なモニタが明示できて良い。
【００４９】
アイテム６０１またはアイテム６０３を選択すると、このウィンドウは表示手段Ｂ２から表示手段Ａ１のウィンドウ６２０の位置へ移動してアイテム６０１は非表示となる。またアイテム６０２またはアイテム６０５を選択すると、このウィンドウは表示手段Ｂ２から表示手段Ｃ２−１のウィンドウ６２２の位置へ移動してアイテム６０２は非表示となる。
【００５０】
図８は本発明の第２の実施の形態に係る当該ウィンドウが含まれるモニタの表示領域に対応したアイテムだけを表示するタスクバーの表示処理を示すフローチャートである。
【００５１】
図８において、起動時にＰ８０１でマルチディスプレイシステムを構成するモニタ数と表示領域を取得する。次に８０２でウィンドウ移動が発生したウィンドウの表示位置を取得して、Ｐ８０３ではモニタ間でのウィンドウ移動が発生したか否かを検査する。モニタ間でのウィンドウ移動が発生していない場合はＰ８０２に戻り、発生した場合はＰ８０４でウィンドウの表示位置を包含する表示領域を有しているモニタを特定する。そしてＰ８０５で特定したモニタに対応したアイテムを抽出して、Ｐ８０６で抽出したアイテムをタスクバーに登録する。最後にＰ８０７でタスクバーをモニタ間移動したウィンドウの所定位置に表示する。
【００５２】
このようにモニタ間でのウィンドウ移動が発生した場合に、タスクバー表示手段がウィンドウの表示位置を包含する表示領域を有しているモニタに対応したアイテムだけを表示することで、使用不可能なアイテムを非表示にしただけタスクバーの表示スペースの効率化が図ることができ、表示解像度の低いモニタで構成されるマルチディスプレイシステムに有効である。
【産業上の利用可能性】
【００５３】
本発明にかかるマルチディスプレイシステムは、タスクバーおよびタスクバーを配置したウィンドウの位置を監視して、タスクバーおよびタスクバーを配置したウィンドウがモニタ間を移動した場合に、タスクバーが含まれるモニタの表示領域に対応した機能を有するアイテムだけを表示することで、タスクバーの省スペース化およびタスクバーの操作性を向上することが可能となり、ウィンドウの移動などの処理が繰り返し発生するようなマルチディスプレイシステムで有用である。
【図面の簡単な説明】
【００５４】
【図１】本発明の第１の実施の形態に係るマルチディスプレイシステムの概念的な構成図
【図２】従来のマルチディスプレイシステムのタスクバーを示す説明図
【図３】本発明の第１の実施の形態に係る入力座標が含まれるモニタの表示領域に対応したアイテムだけを表示するタスクバーを示す説明図
【図４】本発明の第１の実施の形態に係る入力座標が含まれるモニタの表示領域に対応したアイテムだけを表示するタスクバーを有するマルチディスプレイシステムを示す説明図
【図５】本発明の第１の実施の形態に係る入力座標が含まれるモニタの表示領域に対応したアイテムだけを表示するタスクバーの表示処理を示すフローチャート
【図６】本発明の第２の実施の形態に係る当該ウィンドウが含まれるモニタの表示領域に対応したアイテムだけを表示するタスクバーを示す説明図
【図７】本発明の第２の実施の形態に係る当該ウィンドウが含まれるモニタの表示領域に対応したアイテムだけを表示するタスクバーを有するマルチディスプレイシステムを示す説明図
【図８】本発明の第２の実施の形態に係る当該ウィンドウが含まれるモニタの表示領域に対応したアイテムだけを表示するタスクバーの表示処理を示すフローチャート
【符号の説明】
【００５５】
１  第１表示手段
２  第２表示手段
３  モニタ表示領域管理手段
４  座標入力手段
５  タスクバー表示手段
６  表示アイテム管理手段
７  ウィンドウ移動手段
【図１】
0004788344.tif 000002
【図２】
0004788344.tif 000003
【図３】
0004788344.tif 000004
【図４】
0004788344.tif 000005
【図５】
0004788344.tif 000006
【図６】
0004788344.tif 000007
【図７】
0004788344.tif 000008
【図８】
0004788344.tif 000009